(57)【要約】  【課題】  設定時刻になると、調光制御信号を受信できる照明器具は調光点灯可能とし、調光制御信号を受信できない照明器具は全光点灯可能としたリモコン送信器を提供する。  【解決手段】  設定時刻(例えば１７：００)が到来することにより点灯制御信号を送信して照明器具２を点灯制御するリモコン送信器３であって、点灯制御信号として全光制御信号２１と調光制御信号２２をこの順に実質連続的に送信するものであるリモコン送信器である。そうすると、調光制御信号２２を受信可能な照明器具(全光制御信号２１ももちろん受信可能)ではまず、全光点灯されるが直ぐに調光点灯になるため、消費電力を押さえることができる。また、調光制御信号２２を受信不可能な照明器具(全光制御信号２１は受信可能)では、全光点灯される。【選択図】  図４
2005078862.tif 000002
【特許請求の範囲】
【請求項１】
設定時刻が到来することにより点灯制御信号を送信して照明器具を点灯制御するリモコン送信器であって、点灯制御信号として全光制御信号と調光制御信号をこの順に実質連続的に送信するものであるリモコン送信器。
【発明の詳細な説明】
【技術分野】
【０００１】
本発明は、いわゆるタイマー機能をもつリモコン送信器に関する。
【背景技術】
【０００２】
このようなリモコン送信器は特許文献１で知られ、その段落「００４６」には、あらかじめ設定された時刻にリモコン信号が照明器具に送信されることが記載されている。この機能を用いると例えば、自宅を留守にする場合に、防犯のためにあたかも家人が在宅しているかのように、設定した時間帯で自宅の照明器具を点灯制御させることができる。例えば、毎日、１７：００から２３：００の時間帯で照明器具を自動的に点灯させておくことができる。特許文献１には記載されていないが、このようなタイマ送信器では、設定された点灯開始時刻の到来により点灯制御信号として全光制御信号を送信して照明器具を全光点灯制御していた。また、消灯する設定時刻が到来すると当然、消灯制御信号を送信していた。
【特許文献１】特開２００１−２８５９７０号公報
【発明の開示】
【発明が解決しようとする課題】
【０００３】
しかし、長時間に渡って照明器具が全光点灯されると相当な消費電力が伴なう問題点があった。自宅を留守にしながらも防犯目的で在宅を装うためには通常、調光(減光)点灯でも充分その機能を果たすことができるため、設定時刻になれば調光制御信号を送信するようにしてもよい。しかしながら、照明器具の中にはもともと調光点灯モードがないために調光制御信号を受信することができないものや、調光点灯モードがあってもこれに対応する調光制御信号を受信できなくしているものが存在する。そうすると、単に調光制御信号を送信しても、そのような照明器具を点灯できなく、防犯機能を果たすことができない。本発明はこのような解決すべき課題を鑑み、設定時刻になると、調光制御信号を受信できる照明器具は調光点灯可能とし、調光制御信号を受信できない照明器具は全光点灯可能としたリモコン送信器を提供することを目的とする。
【課題を解決するための手段】
【０００４】
本発明を要約すると、設定時刻が到来することにより点灯制御信号を送信して照明器具を点灯制御するリモコン送信器であって、点灯制御信号として全光制御信号と調光制御信号をこの順に実質連続的に送信するものであるリモコン送信器である。
【発明の効果】
【０００５】
本発明によれば、リモコン送信器により、調光制御信号を受け付ける照明器具を自動的に省エネ点灯させることが可能となる上、調光制御信号を受け付けない照明器具でも全光点灯は可能になる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
まず、図１〜３に基づいて説明すれば、住宅１の内部において天井には照明器具２が取り付けられ、壁には照明器具２をリモコン制御できるリモコン送信器３がセットされている。そして、照明器具２には、主光源となる蛍光ランプ４や図示されない豆球などの補助光源、さらには、リモコン送信器３からのリモコン信号を受ける受信部５などが設けられる。
【０００８】
リモコン送信器３は、マイコン６、マイコン６からの制御出力信号を電流増幅するトランジスタなどで構成したドライバー７、ドライバー７で駆動されて赤外線リモコン信号を外部に送信する発光ダイオード８、マイコン６に接続された時刻表示用のディスプレイ９を備えている。さらに、マイコン６には操作スイッチ(押しボタン)１０〜１８、可視発光ダイオード１９、２０が接続される。なお、発光ダイオード８は複数あり、リモコン送信器３を壁掛けと床置きのどちらで使用しても、照明器具２にリモコン信号が届きやすいように、リモコン送信器３の前端側と表面側にそれぞれ設けられている。
【０００９】
操作スイッチ１０を押すと蛍光ランプ４を全光点灯させるリモコン信号を送信でき、操作スイッチ１１を押すと蛍光ランプ４を調光(減光)点灯させるリモコン信号を送信でき、操作スイッチ１２を押すと豆球などの補助光源を点灯させるリモコン信号を送信でき、操作スイッチ１３を押すと蛍光ランプ４および前記補助光源を消灯させるリモコン信号を送信できる。
【００１０】
操作スイッチ１４は留守にする際に押す留守番モードスイッチで、操作スイッチ１４を一度押すと留守番モードになって近傍の発光ダイオード１９が点灯し、もう一度押すと留守番モードが解除されて発光ダイオード１９が消灯するという繰り返し動作をする。操作スイッチ１５は就寝したい場合に押すおやすみタイマースイッチ(押されてから30分経過後に消灯命令のリモコン信号が送信される)であり、操作スイッチ１５を一度押すとおやすみタイマーモードになって近傍の発光ダイオード２０が点灯し、もう一度押すとおやすみタイマーモードが解除されて発光ダイオード２０が消灯するという繰り返し動作をする。
【００１１】
操作スイッチ１６〜１８はディスプレイ９に関連するものであり、操作スイッチ１６を押すたびに、現在時刻、タイマー動作時間帯の開始時刻、タイマー動作時間帯の終了時刻の３つの表示モードに切り替えられる。なお、図２と図３は現在時刻表示モード中であり、「現在」と表示されているが、タイマー動作時間帯の開始時刻、タイマー動作時間帯の終了時刻の表示モード中ではそれぞれ、「開始」、「終了」などとと表示される。操作スイッチ１７は前記表示モードに対応してそのモードの時分を設定するものであり、操作スイッチ１７を押すたびに時分表示を進めることができる。そして、このようにして設定した時分は操作スイッチ１８を押すことにより決定されるものである。なお、メーカー出荷時に例えば、タイマー動作時間帯の開始時刻を１７：００、タイマー動作時間帯の終了時刻を２３：００にあらかじめ設定(決定)しておくと大抵のユーザーにとって好ましい。
【００１２】
そうすると、留守にする際に操作スイッチ１４を押して留守番モードにしておくだけで、毎日、１７：００になると蛍光ランプ４を点灯するためのリモコン信号がリモコン送信器３から送信されて、蛍光ランプ４が点灯し、２３：００になると蛍光ランプ４を消灯するためのリモコン信号がリモコン送信器３から送信されて、蛍光ランプ４が消灯するといった具合に、留守にもかかわらず、あたかも家人が在宅しているかのように照明器具２が点灯制御される。
【００１３】
ここで本発明の実施形態を図４を参照して説明すると、設定時刻(例えば１７：００)が到来することにより点灯制御信号を送信して照明器具２を点灯制御するリモコン送信器３であって、点灯制御信号として全光制御信号２１と調光制御信号２２をこの順に実質連続的に送信するものであるリモコン送信器である。
【００１４】
そうすると、調光制御信号２２を受信可能な照明器具(全光制御信号２１ももちろん受信可能)ではまず、全光点灯されるが直ぐに調光点灯になるため、消費電力を押さえることができる。また、調光制御信号２２を受信不可能な照明器具(全光制御信号２１は受信可能)では、全光点灯される。
【００１５】
以上のように本実施形態によれば、リモコン送信器３により、調光制御信号２２を受け付ける照明器具を自動的に省エネ点灯させることが可能となる上、調光制御信号２２を受け付けない照明器具でも全光点灯は可能になり、防犯などの目的を達成可能となる。
【図面の簡単な説明】
【００１６】
【図１】全体概略図
【図２】同リモコン送信器の正面図
【図３】同回路ブロック図
【図４】本発明による点灯制御状態を示すタイミング図
【符号の説明】
【００１７】
２  照明器具
３  リモコン送信器
２１  全光制御信号
２２  調光制御信号
【図１】
2005078862.tif 000003
【図２】
2005078862.tif 000004
【図３】
2005078862.tif 000005
【図４】
2005078862.tif 000006